(57)【特許請求の範囲】
【請求項１】
中心部材と、この中心部材の半径方向外側に配置された筒状部材と、これらの部材の間に配設されこれらの部材同士を連結するゴム部材とを具え、前記ゴム部材の軸方向一方側に前記筒状部材の内側を長さ方向に液密に仕切る仕切り部材を配設し、この仕切り部材と前記ゴム部材との間に液体が充填された第一主液室を形成するとともに、第一主液室の、前記仕切り部材を挟んだ反対側に膜部材を設けこの膜部材と前記仕切り部材との間に液体が充填されその液圧に応じて拡縮する副液室を形成し、第一主液室と前記副液室とを相互に連通させる第一オリフィスを設けてなり、前記ゴム部材の軸方向中間位置に周方向に並べられた複数個の第二主液室を形成し、これらの第二主液室と前記副液室とを相互に連通させる第二オリフィスを設けた液体封入式防振装置において、
前記第二オリフィスは、前記第二主液室から、前記ゴム部材の、前記第二主液室を周方向に区画する隔壁部分を軸方向に通過して副液室に達する流路によって構成されていることを特徴とする液体封入式防振装置。
【請求項２】
前記第二オリフィスは、前記第二主液室内に延長されていることを特徴とする請求項１に記載の液体封入式防振装置。。
【発明の詳細な説明】
【技術分野】
【０００１】
本発明は、中心部材と、この中心部材の半径方向外側に配置された筒状部材と、これらの部材の間に配設されこれらの部材同士を連結するゴム部材と、軸方向の振動、および、これと直交する方向の振動に対してそれぞれ設けられた主液室とを具え、それらの主液室に充填された液体を、オリフィスを経由して流出入させオリフィスを通過する流体の共振作用によって所望の防振性能を付与するよう構成された液体封入式防振装置に関し、特に、ゴム部材のレイアウトの自由度を高めることのできるものに関する。
【背景技術】
【０００２】
図１は、従来の、軸方向の振動、および、これと直交する方向の振動の両方に対して防振効果を有するいわゆる二方向液体封入式防振装置を示す断面図であり、このような液体封入式防振装置９０は、中心部材９１と、中心部材９１の半径方向外側に配置された筒状部材９２と、これらの部材９１、９２の間に配設されこれらの部材９１、９２同士を連結するゴム部材９３とを具え、ゴム部材９３の軸方向一方側に筒状部材９２の内側を長さ方向に液密に仕切る仕切り部材９４を配設し、この仕切り部材９４とゴム部材９３との間に液体が充填された第一主液室９６を形成するとともに、第一主液室９６の、仕切り部材９４を挟んだ反対側に膜部材９５を設けこの膜部材９５と仕切り部材９４との間に液体が充填され液圧に応じて拡縮する副液室９７を形成し、第一主液室９６と副液室９７とを相互に連通させる第一オリフィス９８を設けて構成され、さらに、ゴム部材３の軸方向中間位置に周方向に並べられた複数個の第二主液室８１を形成し、これらの第二主液室８１と副液室９７とを相互に連通させる第二オリフィス８２を設けて構成されている。
【０００３】
このような液体封入式防振装置９０は、中心部材９１と筒状部材９２とが相対変位する際の、軸方向Ｘおよびそれに直交する方向Ｙの振動を、オリフィス９８、８２を通過する流体の共振作用によって所望の防振性能を付与するよう構成されて、例えば、エンジンを支持しエンジンからの車体側に伝達される振動の、車両上下方向、および、前後方向の成分を低減するのに用いられる（例えば、特許文献１参照。）。
【特許文献１】特開２００６−１２５６１７号公報
【発明の開示】
【発明が解決しようとする課題】
【０００４】
しかしながら、第二オリフィス８２も、第一オリフィス９８と同様に、その流路抵抗を稼ぐために、図１に示すように、第二主液室８１の下方の、ゴム部材９３の外周に周方向に延在する流路を形成することによって構成されており、この場合、所望の直径のゴム部材を得ようとした場合には、防振装置の大きさが大きくなってしまうという問題があった。
【０００５】
本発明は、このような問題点に鑑みてなされたものであり、ゴム部材を外筒の内側まで延在させることにより、ゴム部材の制振性能を高め、または、ゴム部材のレイアウト上の自由度を高めることのできる液体封入式防振装置を提供することを目的とする。
【課題を解決するための手段】
【０００６】
＜１＞は、中心部材と、この中心部材の半径方向外側に配置された筒状部材と、これらの部材の間に配設されこれらの部材同士を連結するゴム部材とを具え、前記ゴム部材の軸方向一方側に前記筒状部材の内側を長さ方向に液密に仕切る仕切り部材を配設し、この仕切り部材と前記ゴム部材との間に液体が充填された第一主液室を形成するとともに、第一主液室の、前記仕切り部材を挟んだ反対側に膜部材を設けこの膜部材と前記仕切り部材との間に液体が充填されその液圧に応じて拡縮する副液室を形成し、第一主液室と前記副液室とを相互に連通させる第一オリフィスを設けてなり、前記ゴム部材の軸方向中間位置に周方向に並べられた複数個の第二主液室を形成し、これらの第二主液室と前記副液室とを相互に連通させる第二オリフィスを設けた液体封入式防振装置において、前記第二オリフィスは、前記第二主液室から、前記ゴム部材の、前記第二主液室を周方向に区画する隔壁部分を軸方向に通過して副液室に達する流路によって構成されていることを特徴とする液体封入式防振装置である。
である。
【０００７】
＜２＞は、＜１＞において、前記第二オリフィスは、前記第二主液室内に延長されていることを特徴とすることを特徴とする液体封入式防振装置である。
【発明の効果】
【０００８】
＜１＞によれば、前記第二オリフィスは、前記第二主液室から、前記ゴム部材の、前記第二主液室を周方向に区画する隔壁部分を軸方向に通過して副液室に達する流路によって構成されているので、これらの第二オリフィスを第２主液室の下側の、ゴム部材の半径方向外側に周方向に延在させて設ける必要がなく、このことによって、同じ内径の筒状部材に対してゴム部材の直径を大きくすることができ、このことによって、防振性能を高めたり、レイアウト設計上の自由度を増大させるたりすることができる。
【０００９】
＜２＞によれば、前記第二オリフィスは、前記第二主液室内に延長されているので、前記隔壁部分を軸方向に延在させるだけでは必要な流動抵抗が得られない場合に、前記第二主液室内に延長されている部分もオリフィスとして利用することによって所望のな流動抵抗を得ることができる。
【発明を実施するための最良の形態】
【００１０】
本発明の実施形態について図に基づいて説明する。図２は、第一の実施形態の液体封入式防振装置をその中心軸を通る断面において示す断面図であり、また、図３は、図２のIII−III矢視に対応する断面図、図４は、図２のIV−IV矢視に対応する断面図であり、図５は、ゴム部材を示す斜視図である。なお、図２は、図３、および、図４のII−II矢視に対応する断面図である。
【００１１】
図２〜５に示すように、液体封入式防振装置１０は、中心に位置する中心部材１と、この中心部材１の半径方向外側に配置された筒状部材２と、これらの部材１、２の間に配設されこれらの部材１、２同士を連結するゴム部材３とを具え、ゴム部材３の軸方向一方側に筒状部材２の内側を長さ方向に液密に仕切る仕切り部材４を配設し、仕切り部材４とゴム部材３との間に液体が充填された第一主液室６を形成するとともに、第一主液室６の、仕切り部材４を挟んだ反対側に膜部材５を設けこの膜部材５と仕切り部材４との間に液体が充填され液圧に応じて拡縮する副液室７を形成し、第一主液室６と副液室７とを相互に連通させる第一オリフィス８を設けている。
【００１２】
液体封入式防振装置１０には、さらに、ゴム部材３の軸方向中間位置の周方向複数部分に液体が充填された第二主液室２１、２２が形成されていて、図示の場合、第二主液室２１、２２は、周方向２カ所に、互いに180度ずれた位置に配置される。そして、第二主液室２１、２２と、副液室７とを連通させる第二オリフィス２３、２４がそれぞれ設けられている。
【００１３】
ここで、本発明の液体封入式防振装置１０は、その特徴として、第二オリフィス２３、２４の一方２３が、第二主液室２１から、ゴム部材３の、第二主液室２１、２２を周方向に区画する隔壁部分３１、３２の一方３１を軸方向に通過して副液室７に達する流路によって構成され、同様に、第二オリフィス２３、２４の他方２４が、第二主液室２２から、ゴム部材３の、第二主液室２１、２２を周方向に区画する隔壁部分３１、３２の他方３２を軸方向に通過して副液室７に達する流路によって構成されている。
【００１４】
なお、第二オリフィス２３、２４は、筒状部材２との間にこれらを取り囲む形状に形成された樹脂等の成型品よりなるオリフィス形成部材２５、２７をゴム部材３に加硫接着することによって形成することができる。
【００１５】
上記のように構成された液体封入式防振装置１０において、車両の上下方向Ｘの振動によって中心部材１と筒状部材２とが軸方向に相対変位する際、それに伴って発生する第一主液室６の容積の振動的変化が、液の、第一オリフィス８を経由して第一主液室６と第一の副液室７との間の往復移動を生成し、その際の粘性抵抗によって、中心部材１と筒状部材２との軸方向の相対変位が抑えられ、液体封入式防振装置１０の上下方向Ｘに対する振動が抑えられる。
【００１６】
また、第二主液室２１、２２を、車両の前後方向に向き合うような向きに配置された液体封入式防振装置１０において、車両の上下方向Ｘに対する振動とともに、車両の前後方向の振動が入力して中心部材１と筒状部材２とが車両の前後方向に対応する方向（図２におけるＹ方向）に相対変位する際、第二主液室２１、２２の一方の容積が縮小し、他方の容積が拡大する振動的な変化が発生し、この変化は、第二オリフィス２３を経由する第二主液室２１と副液室７との間の液体の往復移動、および、第二オリフィス２４を経由する第二主液室２２と副液室７との間の液体の往復移動を生成し、その際の粘性抵抗および液柱共振によって、中心部材１と筒状部材２とのＹ方向の相対変位が抑えられる。
【００１７】
これに対して、車両の左右方向の振動入力に対しては、第二主液室２１、２２の容積はいずれもほとんど変化がないので、その相対変位が大きく抑制されることはない。このように、液体封入式防振装置１０において、軸方向と直交する方向の振動に対しては、入力方向に応じて選択的に制振することができる。
【００１８】
そして、このように構成された液体封入式防振装置１０において、第二オリフィス２３、２４は、ゴム部材３の隔壁部分３１、３２および仕切り部材４だけを通過して副液室７に連通するので、ゴム部材３を第２主液室２１、２２の下側に、第２主液室２１、２２の外周部分と同じ直径にまで広げることができ、ゴム部材３による制振効果を最大限に活用できるような設計が可能となり、設計の自由度を拡大することができる。
【００１９】
ここで、第二オリフィス２３、２４は、幅の狭い隔壁部分３１、３２を軸方向に延在するため、第二オリフィス２３、２４の寸法、特にその長さにおいて制約が生じる可能性があるが、その場合、図６に、液体封入式防振装置の変形例を、図３に対応する断面図で示すように、第二オリフィス２３Ａ、２４Ａに、第二主液室内延長部分２７、２８を具えさせることによって、その長さを所望にものとさせることが好ましい。この場合、筒状部材２との間に第二オリフィス２３Ａ、２４Ａを取り囲むオリフィス形成部材２５Ａ、２６Ａ
を、第二主液室内延長部分２７、２８も取り囲むように構成すればよい。
【００２０】
なお、図２において、符号１５は、弾性部材よりなるメンブランであり、１６は、メンブラン１５を収容するメンブラン収容室、１９は、メンブラン１５をメンブラン収容室１６に閉止するためのメンブラン押さえ部材、１７は、主液室６とメンブラン収容室１６とを連通させる開口部、そして、１８は、メンブラン収容室１６と副液室７とを連通させる開口部を表す。
【００２１】
このメンブラン１５は、振動入力が所定周波数以上となった場合には、液体の粘性による応答遅れによってオリフィス８を通過させて主液室６と副液室７との間で液を移動させることができなくなる現象に対して高周波領域の振動入力に対しても液の移動を可能にするために設けられるものであり、メンブラン１５は、例えば板状のゴム材料で形成されていて、所定周波数以上の高周波入力に対して振動し、メンブラン１５とその周囲との間に、振動しない状態においては形成されない隙間を形成するので、メンブラン押さえ部材１９の開口部１７から、メンブラン１５の周囲のメンブラン収容室１６部分を通過して開口部１８に至る流路が形成され、このことによって、高周波領域においても主液室６と副液室７とをつなぐ流路を確保することができ、その結果、高周波の振動入力に対しても、良好な防振特性を得ることができる。
【産業上の利用可能性】
【００２２】
本発明に係る液体封入式防振装置は、自動車のエンジンマウントやボディマウントとして用いることができる。
【図面の簡単な説明】
【００２３】
【図１】従来の液体封入式防振装置を示す断面図である。
【図２】本発明に係る実施形態の液体封入式防振装置を示す断面図である。
【図３】図２のIII−III矢視に対応する断面図である。
【図４】図２のIV−IV矢視に対応する断面図である。
【図５】ゴム部材を示す斜視図である。
【図６】変形例の液体封入式防振装置を示す断面図である。
【符号の説明】
【００２４】
１    中心部材
２    筒状部材
３    ゴム部材
４    仕切り部材
５    膜部材
６    第一主液室
７    副液室
８    第一オリフィス
１０  液体封入式防振装置
１５  メンブラン
１６  メンブラン収容室
１７  押さえプレートに形成された開口部
１８  メンブラン収容室に形成された開口部
１９  メンブラン押さえ部材
２１、２２  第二主液室
２３、２３Ａ、２４、２４Ａ  第二オリフィス
２５、２５Ａ、２６、２６Ａ  オリフィス形成部材
２７、２８  第二主液室内延長部分
３１、３２  ゴム部材の隔壁部分
【図１】
0004954146.tif 000002
【図２】
0004954146.tif 000003
【図３】
0004954146.tif 000004
【図４】
0004954146.tif 000005
【図５】
0004954146.tif 000006
【図６】
0004954146.tif 000007